(57)【要約】      （修正有）【課題】指先や手の不自由・不慣れな人でも容易に着脱できるベストを提供する。【解決手段】ベスト８は前身頃９即ち、前面部分は一体かつ面一に形成されており、首を挿入する襟１１ａ部分の開口１１と、両腕を挿入する左・右開口１２ａ、１２ｂとを有している。左側面部１３ａと右側面部１３ｂのいずれか一方又は両方にファスナー１４を配置する。ファスナーは開口１２ａ、１２ｂの下縁から左・右側面部の下縁１３ｃ、１３ｄまで取付けられる。【選択図】図１
0003185865.tif 000002
【実用新案登録請求の範囲】
【請求項１】
前面部分が一体かつ面一に形成されたベストに於いて、該ベストは着衣者の首を挿入する襟部分の開口と、着衣者の両腕を挿入する左・右開口とでなり該左・右開口の下縁から前記ベストの左又は右側面部の下縁まで取付けられたファスナーを有したことを特徴とする着脱容易にしたベスト。
【請求項２】
前記ベストの前面部分に絵柄又は格子状図柄若しくは模様を配置したことを特徴とする請求項１に記載の着脱容易にしたベスト。
【考案の詳細な説明】
【技術分野】
【０００１】
本考案は、前面部分が一体にかつ面一に形成されたベストに於いて、着衣者が両腕を出す左又は右の開口下縁から側面部下縁までファスナーを取付け、このファスナーを上下操作することによりベストの着衣者が着脱できる着脱容易にしたベストの技術に関する。
【背景技術】
【０００２】
この種、従来の技術に於ける例としては図３に示す技術がある。これについて説明すれば、ベスト１は、ベスト本体２と当該ベスト本体２に例えば着脱自在の襟部材３とからなる。ベスト本体２には、襟部分の開口４と、着衣者が両腕を出す開口５ａ、５ｂとが設けられており、右前面部６ａと左前面部６ｂとが中央部分で一部重なってボタン７ａ乃至７ｃにより留められるようになっている。襟部材３は、ベスト本体２の襟部分に設けられたドットボタン（図示せず）と当該襟部材３のドットボタン（図示せず）とが勘合することで装着されることになる。襟部材３のドットボタンは、好適な間隔で配設されているので、バランスよく襟部分の開口４近傍に装着することが可能となる。この襟部材３としては、例えば多種多様な柄、模様のものを採用することができるので、ベスト１のデザイン性を高めることが可能となる。また、襟もとは汗等で汚れやすいが、当該襟部材３を交換するだけで、衛生面も高めることができる。また、襟部材３としては、着物地、布、革、ナイロン等、多種多様な材質のものを採用することができる。
そして着衣者が着用した当該ベスト１を身体から脱ぐためには、先ずベスト本体２の中央部分２ａの例えば左前面部６ｂの垂直縁部６ｃに上下に適宜間隔を有して装着したボタン７ａないし７ｃを右前面部６ａの垂直縁部６ｄから外して当該右前面部６ａ及び左前面部６ｂを開放して当該ベスト１を身体から取外す。
次に着衣者が当該ベスト１を着るためには上述の動作を逆にすることになる。
【先行技術文献】
【特許文献】
【０００３】
【特許文献１】実用新案登録第３１８２５２６号登録実用新案公報
【考案の開示】
【考案が解決しようとする課題】
【０００４】
従来の技術は叙上の構成であるので次の課題が存在した。従来の技術は、着衣者が当該ベスト１を着脱するために上述したような煩わしい手順が必要であり、殊に指先や手の不自由・不馴れな老人の場合にベスト１の脱着が出来ないという問題点があった。また上述したボタン７ａないし７ｃの代わりに左・右前面部６ｂ、６ａの垂直縁部６ｄ、６ｃにファスナーを取付ける場合もあるが、ベスト１の前面方面からの見栄えが悪く着衣者をして当該ベスト１の購買意欲を減殺せしめかつベストの販売店に於ける販路拡大に寄与することができないという問題点があった。
本考案はかかる問題点を解決するためになされたものであって、前面部分が一体かつ面一に形成されたベストに於いて、着衣者が両腕を出す左又は右の開口下縁から側面部下縁までファスナーを取付け、このファスナーを上下操作することによりベストの着衣者が容易に着脱できるベストを提供することを目的とする。
【課題を解決するための手段】
【０００５】
本考案はかかる問題点を解決するためになされたものであって、次の構成から成立する。
すなわち請求項１記載の考案によれば、前面部分が一体かつ面一に形成されたベストに於いて、該ベストは着衣者の首を挿入する襟部分の開口と、着衣者の両腕を挿入する左・右開口とでなり該左・右開口の下縁から前記ベストの左又は右側面部の下縁まで取付けられたファスナーを有したことを特徴とする。
【０００６】
請求項２記載の考案によれば、請求項１に記載の着脱容易にしたベストに於いて、前記ベストの前面部分に絵柄又は格子状図柄若しくは模様を配置したことを特徴とする。
【考案の効果】
【０００７】
本考案に係る着脱容易にしたベストは叙上の構成を有するので、次の効果がある。
すなわち、請求項１に記載の考案によれば、前面部分が一体かつ面一に形成されたベストに於いて、該ベストは着衣者の首を挿入する襟部分の開口と、着衣者の両腕を挿入する左・右開口とでなり該左・右開口の下縁から前記ベストの左又は右側面部の下縁まで取付けられたファスナーを有したことを特徴とする着脱容易にしたベストを提供する。
このような構成としたので、本考案に係るベストは一般の着衣者はもとより、老人や指、手が円滑に機能しない人達にもベストの左又は右側面部に配置したファスナーのスライダー把手を上下操作することにより極めて容易に身体に着脱できるという効果がある。
【０００８】
請求項２に記載の考案によれば、前記ベストの前面部分に絵柄又は格子状図柄若しくは模様を配置したことを特徴とする請求項１に記載の着脱容易にしたベストを提供する。
このような構成としたので、請求項１に記載の考案の効果に加えて、ベストの前面が一体かつ面一であって開放部分がないので、絵柄や模様をベストの前面に好みに応じて配色・配置可能でありベストの見栄えを向上させると共に該ベストの販売拡大を図ることができ、衣服産業の発達に寄与するという効果がある。
【図面の簡単な説明】
【０００９】
【図１】本考案に係る着脱容易にしたベストの実施の形態を示すものであって、ファスナーを閉止した状態を示す斜視図である。
【図２】図１のＰ部の詳細を示す部分拡大図である。
【図３】従来の技術の一例を示す正面図である。
【考案を実施するための形態】
【００１０】
本考案に係る着脱容易にしたベストの実施の形態について図面に基づき詳細に説明する。
ベスト８は、ウェストコートとも称されるものであり、正装や礼装用の上着或いはスーツなどの所謂フォーマルウェアの下に着用して、着用者の胴体部分を覆う袖のない衣服である。つまり、ベスト８は、フォーマルウェアの上着の一例である。図１に示されるように、ベスト８は、前身頃９と後身頃１０とが縫合されて一体化された構造となっている。後身頃１０は、表生地と裏生地とが合わせられて、それらの縁部が縫い合わされることにより形成された二重仕立て構造となっている。後身頃１０において、縁部以外の部分は縫合されていない。このように後身頃１０が形成されているため、後身頃１０のほぼ全体に渡って、表生地と裏生地との間に袋状のスペースが形成される。
【００１１】
前記ベスト８は前身頃９即ち、前面部分は一体かつ面一に形成されてある。そして該ベスト８は着衣者の首を挿入する襟１１ａ部分の開口１１と、着衣者の両腕を挿入する左・右開口１２ａ、１２ｂとを有している。該ベスト８の左側面部１３ａと右側面部１３ｂのいずれか一方又は両方に於いてファスナー１４を配置する。具体的には該ファスナー１４はベスト８の開口１２ａ、１２ｂの下縁から該ベスト８の左・右側面部１３ａ、１３ｂの下縁１３ｃ、１３ｄまで取付けられる。該ファスナー１４は線ファスナーと呼称されるものであって、テープ１４Ａと、エレメント即ち務歯１４Ｂと、スライダー１４Ｃとでなる。
【００１２】
該ファスナー１４はエレメントまたは務歯（むし）１４Ｂと呼ばれる歯をテープ１４Ａに並べて取り付けたもので、左右対になった一組の間でスライダー１４Ｃを動かすことで、左右の務歯１４Ｂ同士が順に組み合わさってゆき、自在に開閉できる構造になっている。開いている状態からスライダー１４Ｃを引っ張って動かせば、動かした位置まで閉まり、逆に、閉まっている状態からスライダーを引っ張って動かせば、動かした位置まで開く仕掛けになっている。
【００１３】
テープ１４Ａはポリエステルが主体となっているが、用途によっては合繊テープや綿テープも用いる。特殊なものには撥水性の物や電磁波を通さないものなどもある。エレメント１４Ｂが固定される端部は厚くなっているものが多く、その厚みを増した部分を芯紐という。エレメント又は務歯１４Ｂの噛み合う部分を務歯頭部といい、これが噛み合うことでファスナー１４の働きをする。スライダー１４Ｃはファスナー１４を開閉する時に、エレメント１４Ｂをかみ合わせたり離したりする役目をする。金属製の場合はプレス製やダイカスト製の物が代表的である。エレメント又は務歯１４Ｂおよびスライダー１４Ｃは本体部１４Ｃ２とこの本体部１４Ｃ２に係止された把手１４Ｃ１とを有する。そして該スライダー１４Ｃはプラスチックで作られることもある。スライダー１４Ｃには把手１４Ｃ１が付いていて指先でつまみ易くなっている。
【００１４】
図１に於いて１５ａ、１５ｂはそれぞれ下方左側ポケット及び下方右側ポケットである。図１に示すベスト８は前身頃９及び後身頃１０が絵柄や模様のない無地の例を示すが本考案はこれに限定されない。また当該ベスト８は必ずも襟１１ａが存在しないものにも適用できる。
【００１５】
次に本考案に係るベスト８を着衣者が着用する場合と脱衣する場合について説明すれば、着衣者が当該ベスト８を着用するときは首を開口１１に挿入しさらに両腕を左開口１２ａ、右開口１２ｂに挿入する。ここで、例えば左側面部１３ａに配置したファスナー１４のエレメント１４Ｂが開放してありベスト８の左側面部１３ａも左・右に開放してある。着衣者は指でスライダー１４Ｃの把手１４Ｃ１を引上げファスナー１４を閉止する。これは極めて簡単かつ迅速な操作である。着衣者が当該ベスト８を脱衣するときは前述の操作を逆にすればよい。
次に本考案に係る着脱容易にしたベストの実施例を説明する。
【実施例】
【００１６】
図２は前記ベスト８の前身頃９即ちベスト８の前面の中央部分Ｐを拡大した図を示している。前身頃９は例えば通行人等が前方から見易い部位であり、着衣者の好みに応じて、図示すように格子状模様１６を例示してある。この図はやや太い３本の縦線１６ａと、やや太い３本の横線１６ｂと、この横線１６ｂの上方位に１本の横線１６ｃを配置した図柄と成っている。各線１６ａないし１６ｃはすべて黒線でもよく、着衣者や衣服販売店の好みに応じて赤線を組合せてもよい。また、ベスト８の前面中央部分Ｐに限定せず前後身頃９、１０の全域に渉り格子状模様１６や図柄を配置してもよい。また、本考案は格子状模様に代えて花や鳥等動植物、その他あらゆる図柄や様々な模様を配置することを制限するものではなく、着衣者又は衣服販売店の好みに応じて対応できる。
【産業上の利用可能性】
【００１７】
本考案に係る着脱容易にしたベストは、背広等の上着の下に着用するベストに限定するものではなく、救命胴衣、防刃ベスト、防弾ベスト等の特殊用途を目的とした衣料にも適用でき、その利用範囲は広いものである。
【符号の説明】
【００１８】
８        ベスト
９        前身頃
１０      後身頃
１１      開口
１１ａ    襟
１２ａ    左開口
１２ｂ    右開口
１３ａ    左側面部
１３ｂ    右側面部
１３ｃ    左側面部の下縁
１３ｄ    右側面部の下縁
１４      ファスナー
１４Ａ    テープ
１４Ｂ    エレメント（務歯）
１４Ｃ    スライダー  
１４Ｃ１  スライダーの把手
１４Ｃ２  スライダーの本体部
１５ａ    下方左側ポケット
１５ｂ    下方右側ポケット
１６      格子状模様
１６ａ    縦線
１６ｂ    横線
１６ｃ    横線
【図１】
0003185865.tif 000003
【図２】
0003185865.tif 000004
【図３】
0003185865.tif 000005